(57)【要約】【課題】ユーザに煩雑な切替操作を求めることなく、画像の出力モードを切り替えることができる画像出力装置を提供すること。【解決手段】入力される画像信号から画像の色情報（色数情報および色変化情報）を抽出し、当該色情報に応じて画像の出力モードを自動的に選択する。例えば、色数，色変化ともに多い場合には、シアターモードのような色数が多い動画像に適した出力モードを選択し、色数が多く色変化が少ない場合には、フォトモードのような色数が多い静止画像に適した出力モードを選択し、色数が少なく色変化が多い場合には、ゲームモードのような色数が少ない動画像に適した出力モードを選択し、色数，色変化ともに少ない場合には、プレゼンテーションモードのような色数が少ない静止画像に適した出力モードを選択する。【選択図】図１
2007174606.tif 000002
【特許請求の範囲】
【請求項１】
入力される画像信号に基づいて画像を出力する画像出力装置であって、
入力される画像信号から画像の色数情報および色変化情報を抽出する色情報抽出手段と、
抽出された前記色数情報および前記色変化情報に応じて画像の出力モードを選択する出力モード選択手段と、
選択された前記出力モードに応じて、出力する画像の画質補正を行う画質補正手段と
を備えることを特徴とする画像出力装置。
【請求項２】
請求項１に記載の画像出力装置において、
出力する画像を複数の分割領域に分割する領域分割手段が設けられ、
前記色情報抽出手段は、入力される画像信号から前記各分割領域ごとに前記色数情報および前記色変化情報を抽出し、
前記出力モード選択手段は、前記各分割領域ごとに抽出された前記色数情報および前記色変化情報に応じて、当該各分割領域ごとに前記出力モードを選択し、
前記画質補正手段は、前記各分割領域ごとに選択された前記出力モードに応じて、当該各分割領域ごとに画質補正を行う
ことを特徴とする画像出力装置。
【請求項３】
請求項２に記載の画像出力装置において、
前記色情報抽出手段によって前記各分割領域ごとに抽出された前記色数情報および前記色変化情報に基づいて、当該各分割領域に含まれるデータの種類を判定するデータ種類判定手段と、
互いに隣接する各分割領域について、前記データ種類判定手段によって判定されたデータの種類を比較するデータ種類比較手段とが設けられ、
前記領域分割手段は、前記データ種類比較手段によってデータの種類が異なると判定された互いに隣接する各分割領域を、さらに複数の分割領域に分割し、
さらに分割された前記各分割領域について、前記色情報抽出手段による色数情報および色変化情報の抽出，前記データ種類判定手段によるデータ種類の判定，前記データ種類比較手段によるデータ種類の比較，前記領域分割手段による領域分割を繰り返し行い、
前記出力モード選択手段は、繰り返し行われる前記領域分割手段による領域分割後の各分割領域ごとに前記色情報抽出手段によって抽出された前記色数情報および前記色変化情報に応じて、当該各分割領域ごとに前記出力モードを選択する
ことを特徴とする画像出力装置。
【請求項４】
入力される画像信号に基づいて画像を出力する画像出力方法であって、
入力される画像信号から画像の色数情報および色変化情報を抽出する色情報抽出ステップと、
抽出された前記色数情報および前記色変化情報に応じて画像の出力モードを選択する出力モード選択ステップと、
選択された前記出力モードに応じて、出力する画像の画質補正を行う画質補正ステップと
を備えることを特徴とする画像出力方法。
【発明の詳細な説明】
【技術分野】
【０００１】
本発明は、画像出力装置および画像出力方法に関する。
【背景技術】
【０００２】
入力される画像信号に基づいて画像を出力する画像出力装置として、例えば、プロジェクタが知られている。プロジェクタでは、出力する画像の内容に応じてユーザが出力モードを切り替えることができるようになっている（例えば、特許文献１参照）。出力モードとしては、例えば、写真などの静止画像を出力する際に好適なフォトモード，スポーツなどの動画像を出力する際に好適なスポーツモード，プレゼンテーション用の資料を出力する際に好適なプレゼンテーションモード，映画を出力する際に好適なシアターモード，ゲームの画像を出力する際に好適なゲームモードなどがある。プロジェクタは、各出力モードに対応したルックアップテーブルを予め格納しており、ユーザによって選択された出力モードに対応するルックアップテーブルを読み出して、出力する画像の画質補正を行うようになっている。
【０００３】
【特許文献１】特開２００３−２８８０６５号公報
【発明の開示】
【発明が解決しようとする課題】
【０００４】
しかしながら、特許文献１のプロジェクタでは、出力モードの切替操作をユーザ側で行わなければならず、煩雑であった。
【０００５】
本発明の目的は、ユーザに煩雑な切替操作を求めることなく、画像の出力モードを切り替えることができる画像出力装置および画像出力方法を提供することである。
【課題を解決するための手段】
【０００６】
本発明の画像出力装置は、入力される画像信号に基づいて画像を出力する画像出力装置であって、入力される画像信号から画像の色数情報および色変化情報を抽出する色情報抽出手段と、抽出された前記色数情報および前記色変化情報に応じて画像の出力モードを選択する出力モード選択手段と、選択された前記出力モードに応じて、出力する画像の画質補正を行う画質補正手段とを備えることを特徴とする。
【０００７】
このような画像出力装置によれば、画像信号から抽出された色数情報および色変化情報に応じて画像の出力モードが自動的に切り替えられるので、ユーザ側での煩雑な切替操作を不要にすることができる。
このような画像出力装置によれば、画像信号から抽出された色数情報および色変化情報に基づいて、出力する画像に含まれる色の数および変化を把握することができるので、これらに応じて適切な出力モードが選択されるようにすることができる。例えば、色数，色変化ともに多い場合には、シアターモードのような色数が多い動画像に適した出力モードが選択されるようにし、色数が多く色変化が少ない場合には、フォトモードのような色数が多い静止画像に適した出力モードが選択されるようにし、色数が少なく色変化が多い場合には、ゲームモードのような色数が少ない動画像に適した出力モードが選択されるようにし、色数，色変化ともに少ない場合には、プレゼンテーションモードのような色数が少ない静止画像に適した出力モードが選択されるようにすることができる。
【０００８】
本発明の画像出力装置では、出力する画像を複数の分割領域に分割する領域分割手段が設けられ、前記色情報抽出手段は、入力される画像信号から前記各分割領域ごとに前記色数情報および前記色変化情報を抽出し、前記出力モード選択手段は、前記各分割領域ごとに抽出された前記色数情報および前記色変化情報に応じて、当該各分割領域ごとに前記出力モードを選択し、前記画質補正手段は、前記各分割領域ごとに選択された前記出力モードに応じて、当該各分割領域ごとに画質補正を行うことが好ましい。
【０００９】
このような画像出力装置によれば、出力する画像における各分割領域ごとに出力モードが選択されるようになっているので、出力する画像の内容が各分割領域ごとに異なる場合であっても適切に対応することができる。例えば、１つの画像中に写真領域と文字領域とが含まれている場合には、写真領域についてはフォトモードが選択されるようにし、文字領域についてはプレゼンテーションモードが選択されるようにすることができる。
【００１０】
本発明の画像出力装置では、前記色情報抽出手段によって前記各分割領域ごとに抽出された前記色数情報および前記色変化情報に基づいて、当該各分割領域に含まれるデータの種類を判定するデータ種類判定手段と、互いに隣接する各分割領域について、前記データ種類判定手段によって判定されたデータの種類を比較するデータ種類比較手段とが設けられ、前記領域分割手段は、前記データ種類比較手段によってデータの種類が異なると判定された互いに隣接する各分割領域を、さらに複数の分割領域に分割し、さらに分割された前記各分割領域について、前記色情報抽出手段による色数情報および色変化情報の抽出，前記データ種類判定手段によるデータ種類の判定，前記データ種類比較手段によるデータ種類の比較，前記領域分割手段による領域分割を繰り返し行い、前記出力モード選択手段は、繰り返し行われる前記領域分割手段による領域分割後の各分割領域ごとに前記色情報抽出手段によって抽出された前記色数情報および前記色変化情報に応じて、当該各分割領域ごとに前記出力モードを選択することが好ましい。
【００１１】
このような画像出力装置では、各分割領域に含まれるデータの種類（例えば、写真や文字）の判定を行い、さらに、互いに隣接する各分割領域についてデータの種類の比較を行うことによって、複数種類のデータ（例えば、写真と文字）が含まれている可能性が高い分割領域を判定することができる。すなわち、互いに隣接する各分割領域間でデータの種類が異なっている場合には、当該各分割領域に当該データの境界（例えば、写真と文字との境界）が含まれている可能性が高く、当該各分割領域の少なくとも一方には複数種類のデータ（例えば、写真と文字）が含まれている可能性が高い。そこで、以上のような画像出力装置では、複数種類のデータが含まれていると疑われる分割領域を、さらに複数の分割領域に分割していき、最終的に、全ての分割領域が１種類のデータのみを含むようにしている。そして、１種類のデータのみを含む各分割領域について、当該データの種類に合った最適な出力モード（例えば、データの種類が写真である場合には、フォトモード）を選択することができるので、高精度な画像出力を行うことができる。
なお、各分割領域に含まれるデータの種類の判定は、各分割領域についての出力モード選択時の判定と同様に行うことができる。なぜなら、ある分割領域について写真の出力に適したフォトモードが出力モードとして選択されるということは、当該分割領域に含まれるデータの種類が写真（厳密には、色数が多い静止画像）であるということと略同義だからである。
【００１２】
本発明の画像出力方法は、入力される画像信号に基づいて画像を出力する画像出力方法であって、入力される画像信号から画像の色数情報および色変化情報を抽出する色情報抽出ステップと、抽出された前記色数情報および前記色変化情報に応じて画像の出力モードを選択する出力モード選択ステップと、選択された前記出力モードに応じて、出力する画像の画質補正を行う画質補正ステップとを備えることを特徴とする。
【００１３】
このような画像出力方法は、前記画像出力装置によって実行可能であるので、当該画像出力装置と同じ各作用・効果を奏することができる。
【発明を実施するための最良の形態】
【００１４】
続いて、本発明の実施形態を図面に基づいて説明する。
■１．第１実施形態
（１）プロジェクタの構成
図１は、第１実施形態に係るプロジェクタの構成を示すブロック図である。
プロジェクタ１は、入力される画像信号に基づいて画像を出力する画像出力装置であって、Ａ／Ｄ変換器２と、画像信号処理部３と、画像出力部４とを備えて構成されている。
【００１５】
Ａ／Ｄ変換器２は、アナログ信号である画像信号をデジタル信号に変換する装置である。
画像信号処理部３は、Ａ／Ｄ変換器２によってデジタル信号に変換された画像信号を処理する部分である。
画像出力部４は、画像信号処理部３によって処理された画像信号に基づいて画像を出力する部分であり、光を出射する光源，当該光源からの光を受けて画像を形成する液晶パネル，当該液晶パネルによって形成された画像を投射する投射レンズなどによって構成されている。
【００１６】
画像信号処理部３は、領域分割手段３１と、色情報抽出手段３２と、出力モード選択手段３３と、画質補正手段３４とを備えて構成されている。
【００１７】
領域分割手段３１は、出力する画像を複数の分割領域に分割する手段である。本実施形態では、領域分割手段３１によって、１つの画像がＭ×Ｎ行列状のＭ×Ｎ個の矩形分割領域に分割される。
【００１８】
色情報抽出手段３２は、入力される画像信号（デジタル信号）から各矩形分割領域ごとに画像の色情報を抽出する手段である。ここで、色情報とは、各矩形分割領域における画像の色を示す情報である。具体的には、色情報として、色数情報および色変化情報が、色数情報抽出手段３２１および色変化情報抽出手段３２２によって、それぞれ抽出されるようになっている。ここで、色数情報とは、各矩形分割領域における画像の色数を示す情報である。例えば、各矩形分割領域における画像を構成する各画素を計数単位として計数した画素表示色の総数を、当該各矩形分割領域における色数情報として利用することができる。また、色変化情報とは、各矩形分割領域における画像の色変化を示す情報である。例えば、各矩形分割領域における画像を構成する各画素について現在の表示色と先の時間（１画像フレーム前）における表示色とを比較した場合に表示色が変化していた画素の総数を、当該各矩形分割領域における色変化情報として利用することができる。
【００１９】
出力モード選択手段３３は、各矩形分割領域ごとに抽出された色情報（色数情報および色変化情報）に応じて、当該各矩形分割領域ごとに最適な画像の出力モードを選択する手段である。なお、出力モード選択手段３３が選択可能な出力モードとしては、前述したように、フォトモード，スポーツモード，プレゼンテーションモード，シアターモード，ゲームモードなどがある。ここで、各出力モードは色情報と対応付けられており、色数情報および色変化情報の組に対して、当該組の画像の出力に最適な１つの出力モードが出力モード選択手段３３によって自動的に選択されるようになっている。例えば、色数，色変化ともに多い場合には、シアターモードのような色数が多い動画像に適した出力モードが選択されるようにし、色数が多く色変化が少ない場合には、フォトモードのような色数が多い静止画像に適した出力モードが選択されるようにし、色数が少なく色変化が多い場合には、ゲームモードのような色数が少ない動画像に適した出力モードが選択されるようにし、色数，色変化ともに少ない場合には、プレゼンテーションモードのような色数が少ない静止画像に適した出力モードが選択されるようになっている。なお、各出力モードと色情報との対応付け設定は、専用の設定モードにおいてユーザが行うようにしてもよい。
【００２０】
画質補正手段３４は、各矩形分割領域ごとに選択された出力モードに応じて、当該各矩形分割領域ごとに出力する画像の画質補正を行う手段である。プロジェクタ１には、各出力モードに対応したルックアップテーブルが予め格納されており、画質補正手段３４は、出力モード選択手段３３によって選択された出力モードに対応するルックアップテーブルを読み出して、出力する画像の画質補正を各矩形分割領域ごとに行うようになっている。
【００２１】
（２）画像の出力方法
続いて、以上のような構成を備えるプロジェクタ１によって行われる画像の出力方法について説明する。
図２は、画像の出力の流れを示すフローチャートである。
【００２２】
Ｓ１では、領域分割手段３１が、出力する画像をＭ×Ｎ個の矩形分割領域に分割する。図３は、領域分割手段３１によって画像を３×３個の矩形分割領域Ａ１〜Ａ９に分割した例を示す。以降の処理は、分割された各矩形分割領域ごとに行われる。
Ｓ２では、色情報抽出手段３２が、入力される画像信号から各矩形分割領域ごとに画像の色情報（色数情報および色変化情報）を抽出する。
Ｓ３では、出力モード選択手段３３が、Ｓ２において各矩形分割領域ごとに抽出された色情報に応じて、当該各矩形分割領域ごとに最適な画像の出力モードを選択する。
Ｓ４では、画質補正手段３４が、Ｓ３において各矩形分割領域ごとに選択された出力モードに応じてルックアップテーブルを読み出し、当該各矩形分割領域ごとに出力する画像の画質補正を行う。
Ｓ５では、画像出力部４が、Ｓ４において各矩形分割領域ごとに画質補正が行われた画像を出力する。出力された画像はスクリーンなどに投影される。
【００２３】
以上のような第１実施形態によれば、画像信号から抽出された色情報に応じて画像の出力モードが自動的に切り替えられるので、ユーザ側での煩雑な切替操作を不要にすることができる。
【００２４】
以上のような第１実施形態によれば、画像信号から抽出された色数情報および色変化情報に基づいて、出力する画像に含まれる色の数および変化を把握することができるので、これらに応じて適切な出力モードが選択されるようにすることができる。
【００２５】
以上のような第１実施形態によれば、出力する画像における各矩形分割領域ごとに出力モードが選択されるようになっているので、出力する画像の内容が各矩形分割領域ごとに異なる場合であっても適切に対応することができる。例えば、１つの画像中に写真を表示する矩形分割領域（写真領域）と文字を表示する矩形分割領域（文字領域）とが含まれている場合には、写真領域についてはフォトモードが選択されるようにし、文字領域についてはプレゼンテーションモードが選択されるようにすることができる。
【００２６】
■２．第２実施形態
（１）プロジェクタの構成
図４は、第２実施形態に係るプロジェクタの構成を示すブロック図である。第２実施形態に係るプロジェクタ１は、図１に示される第１実施形態に係るプロジェクタ１と比較して、画像信号処理部３の構成が相違している。すなわち、第２実施形態に係る画像信号処理部３は、第１実施形態に係る画像信号処理部３の構成要素に加えて、データ種類判定手段３５と、データ種類比較手段３６とを備えて構成されている。
【００２７】
データ種類判定手段３５は、色情報抽出手段３２によって各矩形分割領域ごとに抽出された色情報（色数情報および色変化情報）に基づいて、当該各矩形分割領域に含まれるデータの種類を判定する手段である。なお、データ種類判定手段３５が判定可能なデータの各種類は、出力モード選択手段３３によって選択可能な各出力モードと１対１に対応している。ここで、データの種類および出力モードの対応関係を「データの種類／出力モード」のように表すことにすると、例えば、「映画の画像のような色数が多い動画像／シアターモード」，「写真のような色数が多い静止画像／フォトモード」，「ゲームの画像のような色数が少ない動画像／ゲームモード」，「文字のような色数が少ない静止画像／プレゼンテーションモード」のような対応関係となっている。このように、データの種類と出力モードとが１対１に対応しているので、データ種類判定手段３５によるデータの種類の判定は、第１実施形態において説明した出力モード選択手段３３による出力モード選択時の判定と同様に行うことができる。
【００２８】
データ種類比較手段３６は、互いに隣接する各矩形分割領域について、データ種類判定手段３５によって判定されたデータの種類を比較する手段である。
【００２９】
（２）画像の出力方法
続いて、以上のような構成を備えるプロジェクタ１によって行われる画像の出力方法について説明する。
図５は、画像の出力の流れを示すフローチャートである。
【００３０】
Ｓ１では、領域分割手段３１が、出力する画像を３×３個の矩形分割領域Ａ１〜Ａ９に分割する（図３参照）。
Ｓ２では、色情報抽出手段３２が、入力される画像信号から各矩形分割領域Ａ１〜Ａ９ごとに画像の色情報（色数情報および色変化情報）を抽出する。
【００３１】
続くＳ６（Ｓ１０：Ｎｏ）では、データ種類判定手段３５が、Ｓ２において各矩形分割領域Ａ１〜Ａ９ごとに抽出された色情報に基づいて、当該各矩形分割領域Ａ１〜Ａ９に含まれるデータの種類を判定する。図６は、データの種類の判定結果の例を示す。この例では、矩形分割領域Ａ１，Ａ４，Ａ５，Ａ７〜Ａ９には文字（厳密には、色数が少ない静止画像）が含まれると判定され、矩形分割領域Ａ２，Ａ３，Ａ６には写真（厳密には、色数が多い静止画像）が含まれると判定されている。
【００３２】
Ｓ７，Ｓ８では、データ種類比較手段３６が、互いに隣接する各矩形分割領域について、Ｓ６において判定されたデータの種類を比較し、全ての隣接矩形分割領域間でデータの種類が同一であるか否かを判定する。図６の例では、Ａ１−Ａ２間，Ａ２−Ａ５間，Ａ５−Ａ６間，Ａ６−Ａ９間でデータの種類が異なっている。したがって、Ｓ８においては「Ｎｏ」と判定され、処理はＳ９に進む。
【００３３】
Ｓ９では、領域分割手段３１が、Ｓ７，Ｓ８においてデータの種類が異なると判定された互いに隣接する各矩形分割領域を、さらに３×３個の矩形分割領域に分割する。図６の例では、図７に示されるように、矩形分割領域Ａ１，Ａ２，Ａ５，Ａ６，Ａ９が、それぞれ３×３個の矩形分割領域に分割される。
【００３４】
続くＳ２では、色情報抽出手段３２が、Ｓ９において分割された各矩形分割領域ごとに画像の色情報を抽出する。
【００３５】
以降、領域分割手段３１による領域分割の合計回数Ｋ（Ｓ１およびＳ９の合計回数）が所定の閾値Ｋ０（自然数）に等しくなるまで（Ｓ１０：Ｙｅｓ）、Ｓ６→Ｓ７→Ｓ８（Ｎｏ）→Ｓ９→Ｓ２の一連の処理が繰り返し行われる。ここで、Ｓ９における領域分割を繰り返すことによって、Ｓ６におけるデータ種類判定対象としての矩形分割領域の面積が小さくなってくるところ、このような面積の変化の影響を無視するため、Ｓ６においては単位面積当たりの色情報を利用してデータ種類の判定を行う。なお、領域分割回数Ｋの上限を規定する閾値Ｋ０は、一定値であってもよいし、処理状況に応じて変動するような値であってもよい。
【００３６】
続くＳ３（Ｓ１０：Ｙｅｓ）では、出力モード選択手段３３が、繰り返し行われた領域分割手段３１による領域分割（Ｓ１およびＳ９）後の各矩形分割領域ごとにＳ２において抽出された色情報に応じて、当該各矩形分割領域ごとに最適な出力モードを選択する。
Ｓ４では、画質補正手段３４が、Ｓ３において各矩形分割領域ごとに選択された出力モードに応じてルックアップテーブルを読み出し、当該各矩形分割領域ごとに出力する画像の画質補正を行う。
Ｓ５では、画像出力部４が、Ｓ４において各矩形分割領域ごとに画質補正が行われた画像を出力する。
【００３７】
以上のような第２実施形態によれば、含んでいるデータの種類が隣接する矩形分割領域とは異なると判定されたため（Ｓ８：Ｎｏ）、複数種類のデータ（図６の例では、写真と文字）を含んでいると疑われる矩形分割領域（図６の例では、Ａ１，Ａ２，Ａ５，Ａ６，Ａ９）を、さらに複数の矩形分割領域に分割していき（Ｓ９，図７参照）、最終的に、全ての矩形分割領域がほとんど１種類のデータのみを含むようにすることができる。このため、ほとんど１種類のデータのみを含む各矩形分割領域について、当該データの種類に合った最適な出力モード（例えば、データの種類が写真である場合には、フォトモード）を選択することができるので（Ｓ３）、高精度な画像出力を行うことができる。
【００３８】
本発明は、以上の各実施形態によって限定されるものではなく、当該各実施形態を、本発明の目的を達成できる範囲内において変形したものであれば、本発明の技術的範囲に含まれる。
【００３９】
前記各実施形態では、アナログ信号である画像信号をＡ／Ｄ変換器２によってデジタル信号に変換して画像信号処理部３に入力していたが、デジタル放送電波のように画像信号がデジタル信号であれば、Ａ／Ｄ変換器２を介することなく、当該画像信号を直接画像信号処理部３に入力してもよい。
【００４０】
前記各実施形態では、領域分割手段３１が１つの画像をＭ×Ｎ行列状のＭ×Ｎ個の矩形分割領域に分割していたが、領域分割の方法はこれに限られない。
例えば、画像信号がデジタル信号である場合には、効率的な領域分割が可能になる。すなわち、画像信号がアナログ信号である場合には、１画像分のデータが一体不可分な状態で伝送されてくるので、１つの画像中の異なる領域に表示される種類の異なるデータ（例えば、写真と文字）を互いに識別することはできないが、画像信号がデジタル信号である場合には、１つの画像中の異なる領域に表示される種類の異なるデータを互いに識別することができる。このため、画像信号がデジタル信号である場合には、１つの画像中の種類の異なるデータが表示される各領域ごとに画像の領域分割を行うことができ、１つの分割領域に複数種類のデータ（例えば、写真と文字）が含まれることがなくなる。このように、１つの分割領域には１種類のデータのみが含まれるので、当該データの種類に応じた出力モードを選択することによって、画質補正を高精度に行うことができる。
【００４１】
前記第２実施形態では、隣接する各矩形分割領域間で含んでいるデータの種類を比較することによって、複数種類のデータを含んでいると疑われる矩形分割領域を判定し、さらに領域分割を行うようにしていたが、データ種類判定手段３５によって各矩形分割領域に含まれるデータの種類を判定する際に、データ種類を判別するための色情報（色数情報および色変化情報）についての判別閾値に近い色情報を有する矩形分割領域を、複数種類のデータを含んでいると疑われる矩形分割領域と判定し、さらに領域分割を行うようにしてもよい。
【００４２】
前記各実施形態では、抽出された色情報に応じて画像の出力モードが自動的に選択されるようになっていたが、従来通り、ユーザが出力モードを選択することができるようになっていてもよい。すなわち、出力モードが自動的に選択される自動選択モードと、出力モードをユーザが選択する手動選択モードとを設け、当該両モードのうち所望のモードをユーザが選択できるようにしてもよい。
【００４３】
前記各実施形態では、分割された矩形分割領域ごとに各種処理（色情報抽出，出力モード選択，画質補正）を行っていたが、画像の分割を行わずに、画像全体について各種処理を行うようにしてもよい。
【００４４】
前記各実施形態では、プロジェクタを画像出力装置としていたが、ＣＲＴディスプレイ，液晶ディスプレイ，プラズマディスプレイ，有機ＥＬディスプレイなどを画像出力装置としてもよい。
【図面の簡単な説明】
【００４５】
【図１】第１実施形態に係るプロジェクタの構成を示すブロック図である。
【図２】第１実施形態における画像の出力の流れを示すフローチャートである。
【図３】領域分割手段によって画像を３×３個の矩形分割領域に分割した例を示す図である。
【図４】第２実施形態に係るプロジェクタの構成を示すブロック図である。
【図５】第２実施形態における画像の出力の流れを示すフローチャートである。
【図６】データ種類判定手段によるデータ種類の判定結果の例を示す図である。
【図７】図６の例において、複数種類のデータを含んでいると疑われる矩形分割領域を、さらに３×３個の矩形分割領域に分割した例を示す図である。
【符号の説明】
【００４６】
１…プロジェクタ（画像出力装置），２…Ａ／Ｄ変換器，３…画像信号処理部，４…画像出力部，３１…領域分割手段，３２…色情報抽出手段，３３…出力モード選択手段，３４…画質補正手段，３５…データ種類判定手段，３６…データ種類比較手段，３２１…色数情報抽出手段，３２２…色変化情報抽出手段。
【図１】
2007174606.tif 000003
【図２】
2007174606.tif 000004
【図３】
2007174606.tif 000005
【図４】
2007174606.tif 000006
【図５】
2007174606.tif 000007
【図６】
2007174606.tif 000008
【図７】
2007174606.tif 000009